(57)【要約】【課題】  台風など大きな風圧が生じた場合でも、通風路を閉鎖しておくことができるダンパ機能付き屋外フードを提供する。【解決手段】  フード７に回動可能なダンパ21を設ける。ダンパ21は閉じた状態でダンパ21の自重及びガススプリング25に付勢され、排気孔31の周縁に装着したパッキン部材33を押圧する。ダンパの他端にロック機構を設ける。ロック機構は、フードに設けたストッパ受部と、ストッパ受部に係止可能なダンパの他端に回動自在に設けたストッパ部とからなる。ストッパ部にワイヤの先端が連結されている。【選択図】図１
2007003040.tif 000002
【特許請求の範囲】
【請求項１】
壁面に開口した通気孔と、この通気孔を覆うようにして屋外に固定されるフードと、一端においてこのフードの通風路に回動自在に設けられ、かつ閉鎖方向に付勢されるダンパと、前記ダンパの閉鎖時に該ダンパと密着して前記フードの排気孔を密閉する封止部材と、この封止部材と並設して該封止部材の焼失時に前記ダンパと密着して前記フードの排気孔を密閉可能な難燃性の受け材と、前記ダンパを開閉する開閉機構とを具備し、この開閉機構は、先端を前記ダンパに連結されるとともに一部に温度ヒューズを組み込んだワイヤと、このワイヤの基端を巻き取る巻取装置とで構成するとともに、室温を検知する検知信号に基づいて前記開閉機構を制御する制御手段を設けたダンパ機能付き屋外フードにおいて、前記ダンパの他端にロック機構が設けられており、前記ロック機構は、前記フードに設けたストッパ受部と、前記ストッパ受部に係止可能なストッパ部とからなり、前記ストッパ部は前記ストッパ受部に係止するフックと前記ワイヤを連結する連結孔とを備え、前記ダンパの他端に回動自在に設けたことを特徴とするダンパ機能付き屋外フード。
【請求項２】
前記ダンパ機能付き屋外フードが携帯電話などの電波を中継する無線局舎に設けられていることを特徴とする請求項１に記載のダンパ機能付き屋外フード。
【発明の詳細な説明】
【技術分野】
【０００１】
本発明は、ダンパ機能付き屋外フード、特に携帯電話などの電波を中継する無線局舎に設置したダンパ機能付き屋外フードに関する。
【背景技術】
【０００２】
近年、携帯電話が普及し、これに伴い携帯電話の電波を中継するための無線局舎が多数点在させて建設されている。ところで、このような中継局は無人化が進み、単に中継用の通信機器を設置するだけで中継局の機能を果たすようになっている。このように、無線局舎は、無人化が進む傾向にあるが、それに伴うメンテナンスが重要となる。すなわち、無線局舎の内部には各種の通信機器や、この電源となるバッテリなどが集約的に配置され、これらの排熱で無線局舎の温度が上昇し、特に夏場などは気温の影響で室内温度が上昇し、逆に冬期間においては温度が低下する。このような温度変化は通信機器に悪影響を与えることから、無線局舎の室温や湿度などは四季を通じて一定に保つことが望ましい。このため、この種の無線局舎にはエアコンディショナなどの空調設備や換気装置が備えられている。上記換気装置は、壁面に形成する通気口の室内側に位置して換気扇が設けられ、屋外には通気口から直接的に風雨が入り込まないように通気口を覆うフードと共に、フードの通風路を開閉する開閉機構、例えば、フードの内部に取り付けた取付枠に複数のルーバを回動可能に軸支したものが知られている。また、フード内にダンパを回転可能に軸支し、このダンパをばねによって閉鎖方向に付勢させてダンパをばねによって強制的に閉じるように構成した防火ダンパ付き換気扇も知られている（例えば特許文献１）。
【０００３】
ところが、複数のルーバを備えたものは、ルーバを取付枠に回動自在に軸支することから、各ルーバの可動部と取付枠との間にクリアランスを設ける必要があり、ルーバによるフードの遮蔽性は不完全である。このため、携帯電話などの電波を中継する無線局舎に設置する場合、室内側に入り込んだ湿気に起因して室内において結露が生じる虞がある。また、細かな塵や埃といった塵芥が通気口を通って室内側に入り込み、通信機器に悪影響を与える虞がある。このような問題点を解決するものとして、壁面に開口した通気孔と、この通気孔を覆うようにして屋外に固定されるフードと、このフードの通風路に回動自在に設けられ、かつ閉鎖方向に付勢されるダンパと、前記ダンパの閉鎖時に該ダンパと密着して前記フードの排気孔を密閉する封止部材と、この封止部材と並設して該封止部材の焼失時に前記ダンパと密着して前記フードの排気孔を密閉可能とする難燃性の受け材と、前記ダンパを開閉する開閉機構とを具備し、この開閉機構は、前記ダンパに連結されるとともに一部に温度ヒューズを組み込んだワイヤと、このワイヤを巻き取る巻取装置とで構成するとともに、室温を検知する検知信号に基づいて前記開閉機構を制御する制御手段を設け、ダンパはフードに取り付けた封止部材に押付けられるように付勢されるため、ダンパの閉鎖によって封止部材とダンパとが密着してフードの通風路が閉鎖され、これによりダンパの閉鎖時におけるフードの気密性が高められ、通風路から室内側に侵入する湿気や塵芥などを確実に遮断するものが開示されている（例えば特許文献２）。
【特許文献１】特開平８−６１７６６号公報
【特許文献２】特許第３４９１５９４号
【発明の開示】
【発明が解決しようとする課題】
【０００４】
しかしながら上記した特許文献２においても、ダンパはガススプリングによって付勢されているのみであるので、ダンパに開方向の大きな圧力、例えば台風などが生じた場合その風圧がガススプリングの付勢力に抗してダンパを開放してしまうという問題があった。
【０００５】
そこで本発明は上記した問題点に鑑み、台風など大きな風圧が生じた場合でも、通風路を閉鎖しておくことができるダンパ機能付き屋外フードを提供することを目的とする。
【課題を解決するための手段】
【０００６】
上記目的を達成するために、請求項１に係る発明は、壁面に開口した通気孔と、この通気孔を覆うようにして屋外に固定されるフードと、一端においてこのフードの通風路に回動自在に設けられ、かつ閉鎖方向に付勢されるダンパと、前記ダンパの閉鎖時に該ダンパと密着して前記フードの排気孔を密閉する封止部材と、この封止部材と並設して該封止部材の焼失時に前記ダンパと密着して前記フードの排気孔を密閉可能な難燃性の受け材と、前記ダンパを開閉する開閉機構とを具備し、この開閉機構は、先端を前記ダンパに連結されるとともに一部に温度ヒューズを組み込んだワイヤと、このワイヤの基端を巻き取る巻取装置とで構成するとともに、室温を検知する検知信号に基づいて前記開閉機構を制御する制御手段を設けたダンパ機能付き屋外フードにおいて、前記ダンパの他端にロック機構が設けられており、前記ロック機構は、前記フードに設けたストッパ受部と、前記ストッパ受部に係止可能なストッパ部とからなり、前記ストッパ部は前記ストッパ受部に係止するフックと前記ワイヤを連結する連結孔とを備え、前記ダンパの他端に回動自在に設けたものである。
【０００７】
また、請求項２に係る発明は、前記ダンパ機能付き屋外フードが携帯電話などの電波を中継する無線局舎に設けられているものである。
【発明の効果】
【０００８】
本発明の請求項１に記載のダンパ機能付き屋外フードによれば、ダンパはフードに取り付けた封止部材に押付けられるように付勢されるため、ダンパの閉鎖において、封止部材とダンパとが密着してフードの通風路が閉鎖される。しかも、閉鎖されたダンパはロック機構によりフードにロックされる。これにより、ダンパの閉鎖時におけるフードの気密性が高められ、通風路を通って室内側に侵入する湿気や塵芥などを遮断することができると共に、台風など大きな風圧がダンパの外側に生じた場合でも、通風路を確実に閉鎖しておくことができる。
【０００９】
また、請求項２に記載のダンパ機能付き屋外フードによれば、内部に各種通信機器を収納した無線局舎の通風路の遮蔽正を高めることができ、湿気の侵入による結露あるいは細かな塵芥の侵入による通信機器の悪影響が抑制される。
【発明を実施するための最良の形態】
【００１０】
以下、本発明の実施例を添付図面を参照して説明する。図１〜図８は本発明の一実施例を示し、同図において１は無線局舎であり、前後左右に立設した支持型枠２にアルミパネルによって形成した外壁パネル３をリベットなど適宜手段で張り合わせて略直方体型に形成している。
【００１１】
５は外壁パネル３に形成する通気孔であり、本実施例では、無線局舎１の前面と一側面に設けた扉体１Ａに形成している。そして、通気孔５の室内側に図示しないが通気ユニットを設け、無線局舎１の屋外に前記通気孔５を覆うフード７を設けている。通気ユニットは、換気ファンと、この換気ファンの駆動手段たるモータとで構成され、これら換気ファンとモータを組み付ける枠体を前記外壁パネル３の内面側に固定した取付枠11に固定している。このフード７は前記通気孔５を覆うように逆Ｌ型に屈曲し、一端側に前記通気孔５に臨む吸気口15を形成するとともに、他端側に外部に開口した排気口16を形成している。また、フード７の内部にはダンパユニット20が設けられている。ダンパユニット20は、前記フード７の通風路７Ａを開閉するダンパ21と、このダンパ21に連結されたワイヤ22の巻取ドラム23と、この巻取ドラム23を駆動するモータ24とで構成されている。なお、ダンパ21は、自重によりフード７の通風路７Ａを閉鎖する方向に回動するようにフード７に回動自在に枢着されているが、確実にダンパ21を倒してフード７の通風路７Ａを閉鎖するようにダンパ21にはガススプリング25が連結されている。
【００１２】
通気口５の上側に前記モータ24が固定され、排気口16には、ヒンジ部材28によって前記ダンパ21の一端が起伏回動自在に枢着されている。ワイヤ22は、先端がダンパ21の他端に連結され、第１プーリ40と第２プーリ41によって方向を転換された後、前記巻取ドラム23へ連結されている。すなわち、モータ24の回転に伴い、前記巻取ドラム23によってガススプリング25の付勢力に抗してワイヤ22を巻き取ることによって前記フード７が起立方向に回動して通風路７Ａが開放され、かつ、モータ24の逆転によりフード７は、それ自体の自重並びにガススプリング25の付勢力によって閉鎖方向に回動するものであり、これら前記ダンパ21に連結されたワイヤ22の巻取ドラム23と、この巻取ドラム23を駆動するモータ24と、前記ダンパ21を閉鎖方向に付勢するガススプリング25によってダンパ21の開閉機構を構成している。
【００１３】
また、前記ダンパ21の他端には、ロック機構42が設けられており、前記ロック機構42は、前記フード７に設けたストッパ受部43と、前記ストッパ受部43に係止可能な前記ダンパ21の他端に設けたストッパ部44とからなる。
【００１４】
ストッパ受部43は、図３に示すように、断面が略Ｓ字形のベース45と、前記ベース45に架設された横杆46とからなり、前記排気口16の前面上側に固設されている。前記ベース45は、一側の端部45Aが中央部に隙間を設けた二股形状に形成されており、この一側の端部45Aに前記横杆46が固設されている。また、他側の端部45Bには、ボルト挿通用の穴が形成されている。
【００１５】
また、ストッパ部44は、図４、図８に示すように、略中央に形成された軸穴47と、一側に形成された前記ストッパ受部43に係止するフック48と前記フック48の上側縁部に形成された傾斜部49と、他側に前記ワイヤ22の先端と連結する連結孔50とを備える。傾斜部49は連結孔50（支持穴54，ピン55）の中心を回転中心として円弧状に形成されている。
【００１６】
このストッパ部44は、図５に示すＬ字形の基材51に熔接などにより立設固定された支持材52に軸支される。支持材52は、左右一対として設けられ、基材51から張り出し形成された腕部53に支持穴54が形成されている。
【００１７】
前記ストッパ部44は、図６に示すように、軸穴47を前記支持材52に設けた支持穴54に合せ、ピン55を挿通して支持材52に軸支され、前記基材51がダンパ21の他端にボルト56で固定されることにより、ダンパ21に固設される。また、ストッパ部44は、一端が前記支持材52に固定され、他端がストッパ部44に固定されたスプリング57により一側へ付勢され、他側に連結されたワイヤ22の張力により、シーソー状に回動する。
【００１８】
また、前記フード７の排気口16には縁枠30が設けられている。この縁枠30は、排気孔31を有する内底面30Ａを有し、前記フード７の内周面に固定される。前記内底面30Aに形成する排気孔31の内周面にダンパ21と密着する封止部材としてのパッキン部材33が装着されている。また、パッキン部材33の外側には、パッキン部材33が撓んだ際、前記ダンパ21と当接する金属などから成る難燃性の受け材34が固定されている。なお、図２において、36は無線局舎１の天井部に取り付けたエアコンディショナなどの空調機、37は無線局舎１の内部に設置した通信機器である。
【００１９】
次ぎに、図７を参照して制御手段60の構成について説明する。制御手段60は、前記無線局舎１の室温を検知する室温センサ61と、前記ダンパ21の他端側に取り付けたセンサ62と、前記フード７の内側に取り付けて該フード７の開閉を検知する上限センサ63と下限センサ64から信号に基づいて前記モータ24への電源65の給電及び断電を制御するものである。そして、無線局舎１の室温を検知する室温センサ61からの信号に基づいてダンパユニット20のモータ24が通電され、かつ、ダンパ21に取り付けたセンサ62とフード７側に取り付けた各センサ63，64によってモータ24に通電を制御する。すなわち、無線局舎１の室温が例えば所定値より高温となった際、ダンパユニット20のモータ24に通電され、モータ24が正回転する。このモータ24の正回転に伴いダンパ21は、それ自体の自重及びガススプリング25の付勢力に抗して起立方向に回動する。そして、ダンパ21に取り付けたセンサ62がフード７の上限センサ63と対向することによって、上限センサ63からの信号によってダンパユニット20のモータ24への通電が停止する。一方、無線局舎１の室温が所定レベルに戻ったら、室温センサ61からの検知信号により、前記ダンパユニット20のモータ24が逆転し、ダンパ21はガススプリング25の付勢力によって下方側に回転する。そして、ダンパ21に取り付けたセンサ62がフード７の下限センサ64と対向することによって、下限センサ64からの信号によってダンパユニット20のモータ24への通電が停止する。なお、換気ファンのモータは、前記無線局舎１の室温を検知する室温センサ61からの信号に基づいてダンパユニット20のモータ24と同期させて制御すれば無線局舎１に無人化を図る上で好ましいが、単に室内に設けたスイッチ（図示せず）により換気ファンのモータ及びダンパユニット20のモータ24を手動操作するようにしてもよい。
【００２０】
次ぎに通気ユニット６の防火機能について説明する。前記巻取ドラム23で巻き取るワイヤ22には温度ヒューズ70が連結され、この温度ヒューズ70が前記ダンパ21に連結されている。すなわち、室内で火災が発生し、通風路７Ａが異常高温となると、温度ヒューズ70が溶断し、ダンパ21がダンパ21の自重並びにガススプリング25の付勢力によって閉鎖方向に回動して排気孔31の周縁に装着したパッキン部材33に密着して排気孔31を閉鎖する。なお、ダンパ21の閉鎖時においてはパッキン部材33はダンパ21によって押圧され、若干圧縮されるから、ダンパ21はパッキン部材33のみならず、パッキン部材33の外側に設けた受け材34にも当接する。このため、火災によりパッキン部材33が焼失しても、ダンパ21が受け材34と密着しているから、ダンパ21による密閉性は維持される。これにより、室内側への空気の供給を遮断することによって火災の勢いを弱めることが可能となる。以上にように構成される本実施例の作用について説明する。通常、無線局舎１に取り付けた換気ユニット６は停止しており、通気孔５を開閉するダンパ21も閉じている。そして、例えば、室内の温度が異常に高まった場合などにおいて室温センサ61からの検知信号により、ダンパユニット20のモータ24が回転する。これにより、ダンパ21に連結されたワイヤ22が巻き取られ、ダンパ21はダンパ21の自重及びガススプリング25の付勢力に抗して上方側に回動する。そして、ダンパ21に取り付けたセンサ62がフード７に固定した上限センサ63と対向する位置まで回動すると、上限センサ63により、フード７の上限位置、すなわち、フード７が全開であることを検知する。この上限センサ63からの検知信号により前記モータ24の回転が停止し、このモータ24の停止に伴いダンパ21も停止する。すなわち、ダンパ21は全開位置で保持され、フード７の排気孔31が開口してフード７の通風路７Ａが開く。これにより、換気ファン８の回転に伴い、室内側の空気が通気孔５からフード７の通風路７Ａを通って排気孔31から排出される。そして、室温が所定レベルに達した場合、室温センサ61からの信号により前記ダンパユニット20のモータ24が逆転し、ダンパ21は、その自重及びガススプリング25の付勢力によって下方側に回転する。そして、ダンパ21に取り付けたセンサ62がフード７に固定した下限センサ64と対向する位置までダンパ21が回動すると、下限センサ64により、フード７の下限位置、すなわち、フード７が全閉であることを検知し、下限センサ64からの検知信号により前記モータ24の回転が停止してダンパ21も停止する。この時、ダンパ21は自重及びガススプリング25によってフード７の排気孔31の内周に装着したパッキン部材33に押し付けられ、パッキン部材33を若干圧縮した状態で排気孔31を密閉する。このとき、パッキン部材33が圧縮方向に撓むことから、ダンパ21はパッキン部材33及びそのパッキン部材33の外側に配置した受け材34にも当接して排気孔31を密閉することになる。これにより、パッキン部材33、受け材34で排気孔31を多重に密閉することができ、排気孔31からフード７の通風路７Ａを通って湿気や塵芥などが室内側に入り込まない。
【００２１】
また、換気中において火災が発生した場合、ワイヤ22の先端に取り付けた温度ヒューズ70が溶断し、ダンパ21の支えが無くなるため、ダンパ21はダンパ21の自重及びガススプリング25の付勢力によって閉鎖方向に回動し、パッキン部材33を若干圧縮した状態で排気孔31を塞ぐとともに、ダンパ21はパッキン部材33と受け材34に当接して排気孔31を密閉する。これにより、室内側への空気の供給を遮断することによって火災を勢いを弱める防火ダンパとして機能する。また、火災によりパッキン部材33が焼失しても難燃性の受け材34は残るため、排気孔31を確実に密閉して防火ダンパとして機能を維持することができる。
【００２２】
次に、ロック機構42の作用について説明する。まず、開いているダンパ21を閉鎖し、ロックする場合について説明する。開いているダンパ21を閉鎖するには、モータ24に通電しモータ24を逆転させる。モータ24を逆転させると、巻取ドラム23に巻き取られていたワイヤ22が送り出される。ワイヤ22が送り出されると、ダンパ21は、その自重及びガススプリング25の付勢力により下方側へ回転する。ダンパ21が下方側へ回転すると、ダンパ21の一端に設けられたストッパ部44がストッパ受部43に当接する。ストッパ部44がストッパ受部43に当接すると、ストッパ部44が傾斜部49を備えることにより、スプリング57の付勢力に抗してピン55を中心にストッパ部44が側面視で正回動する。ストッパ部44がピン55を中心に正回動すると、フック48がスットパ受部を乗り上げ、さらにスプリング57の付勢力によりストッパ部44が逆回動し、フック48がストッパに係止する。こうしてダンパ21がロックされる。これにより、ダンパ21の外側に風圧が生じた場合、ダンパ21の自重及びガススプリング25の付勢力によって閉鎖状態を保持する。一方、ダンパ21の外側に生じた風圧がダンパ21の自重及びガススプリング25の付勢力を超えた場合には、上記の通りフック48がストッパ受部43に係止されていることによって、ダンパ21を閉鎖した状態に保持することができる。
【００２３】
次いで、閉鎖状態にあるダンパ21を開放する場合について説明する。ダンパ21を開放するには、モータ24に通電し、モータ24を正転させる。モータ24を正転させると、巻取ドラム23にワイヤ22が巻き取られる。ワイヤ22が巻き取られると、ワイヤ22の先端がダンパ21開方向に移動する。ワイヤ22の先端がダンパ21開方向に移動すると、ストッパ部44がピン55を中心に側面視で正回動する。ストッパ部44が正回動すると、フック48がストッパ受部43から解除される。フック48がストッパ受部43から解除されると、ダンパ21の自重及びガススプリング25の付勢力に抗してワイヤ22を巻き上げることによりダンパ21を開放することができる。
【００２４】
以上のように本発明の実施例のダンパ機能付き屋外フード７によれば、壁面に開口した通気孔５と、この通気孔５を覆うようにして屋外に固定されるフード７と、一端においてこのフード７の通風路7Aに回動自在に設けられ、かつ閉鎖方向に付勢されるダンパ21と、前記ダンパ21の閉鎖時に該ダンパ21と密着して前記フード７の排気孔16を密閉する封止部材33と、この封止部材33と並設して該封止部材33の焼失時に前記ダンパ21と密着して前記フード７の排気孔16を密閉可能な難燃性の受け材34と、前記ダンパ21を開閉する開閉機構とを具備し、この開閉機構は、先端を前記ダンパ21に連結されるとともに一部に温度ヒューズ70を組み込んだワイヤ22と、このワイヤ22の基端を巻き取る巻取装置23,24とで構成するとともに、室温を検知する検知信号に基づいて前記開閉機構を制御する制御手段60を設けたダンパ機能付き屋外フード７において、前記ダンパ21の他端にロック機構42が設けられており、前記ロック機構42は、前記フード７に設けたストッパ受部43と、前記ストッパ受部43に係止可能なストッパ部44とからなり、前記ストッパ部44は前記ストッパ受部43に係止するフック48と前記ワイヤ22を連結する連結孔50とを備え、前記ダンパ21の他端に回動自在に設けたことで、ダンパ21はフード７に取り付けた封止部材33に押付けられるように付勢されるため、ダンパ21の閉鎖において、封止部材33とダンパ21とが密着してフード７の通風路7Aが閉鎖される。しかも、閉鎖されたダンパ21はロック機構42によりフード７にロックされる。これにより、ダンパ21の閉鎖時おけるフード７の気密性が高められ、通風路7Aを通って室内側に侵入する湿気や塵芥などを遮断することができると共に、台風など大きな風圧がダンパ21の外側に生じた場合でも、通風路7Aを確実に閉鎖しておくことができる。
【００２５】
前記ダンパ機能付き屋外フード７が携帯電話などの電波を中継する無線局舎１に設けられているので、これにより、内部に各種通信機器37を収納した無線局舎１の通風路7Aの遮蔽性を高めることができ、湿気の侵入による結露あるいは細かな塵芥の侵入による通信機器37の悪影響が抑制される。
【００２６】
また、フック48に傾斜部49を形成したことにより、ストッパ部44がストッパ受部43に当接したとき、ダンパ21の自重及びガススプリング25の付勢力によりスプリング57の付勢力に抗してストッパ部44が側面視で正回動し、フック48がストッパ受部43を容易に乗り上げることができるので、ダンパ21を閉鎖する動作に連動して確実にダンパ21をロックすることができる。
【００２７】
また、ストッパ部44にワイヤ22の先端を連結したことにより、ワイヤ22を巻き上げるとストッパ部44が側面視でスプリング57の付勢力に抗して正回動してロックを解除することができるので、ダンパ21の開放動作に連動して、確実にロックを解除することができる。
【００２８】
また、フード７を閉じた状態において、ダンパ21をフード７の排気孔31に装着したパッキン部材33に押圧させ、フード７の排気孔31を密閉状態で閉鎖することができる。これにより、フード７を閉じた状態において、無線局舎１の気密性を高めて排気孔31から湿気や塵芥などの侵入を防止することができる。したがって、湿気などによる結露を防止することができるとともに、室内への塵芥などの侵入も抑制できるため、結露や塵芥などによる通信機器37への悪影響を抑えることができる。また、フード７の開閉は、室温に応じて自動的に制御されるので、フード７の開閉操作も不要であり、操作性にも優れる。また、火災発生時には温度ヒューズ70が溶断し、ダンパ21を自動的に閉鎖することができる。この際にも、ダンパ21をフード７の排気孔31に装着したパッキン部材33に押圧させ、確実に遮蔽することができため、室内側への空気の供給を遮断することで火災の鎮火も早まるとともに、火災の炎が排気孔31から出ないため、火災の延焼も抑制するこができる。さらに、火災によりパッキン部材33が焼失しても難燃性の受け材34は残るため、防火ダンパとして機能を維持することができる。
【００２９】
以上、本発明の実施例について詳述したが、本発明は、前記実施例に限定されるものではなく、本発明の要旨の範囲内で種々の変形実施が可能である。例えば、ダンパの開閉機構といった基本的な構成は前記実施例に限定されるものではなく、本発明の要旨の範囲内で種々の変形実施が可能である。また、確実にダンパを閉鎖方向に付勢するために補助的にガススプリングを設けた例を示したが、これを省略してもよい。また、自重により閉鎖方向に付勢する以外、例えば、ばねやトーションバネあるいはバランスウェートなどの方法によってダンパを閉鎖方向に付勢するように構成してもよい。さらに、ダンパとパッキン部材とによって排気孔を密閉した例を示したが、密着性の良好な合成樹脂などからなるシール材などでもよく、要はダンパと当接して排気孔を密閉するものであればよい。また、前記実施例では通気ユニットをフードに取り付けた例を示したが、通気ユニットは省略することができる。さらに、無線局舎の基本的構成なども前記実施例に限定されるものではない。加えて、本実施例では、無線局舎を例にして説明しているが、必ずしも無線局舎に限るものではない。
【図面の簡単な説明】
【００３０】
【図１】本発明の一実施例に係るダンパ機能付き屋外フードを示す断面図である。
【図２】同上、無線局舎を示す正面図である。
【図３】同上、ストッパ受部を示す図であり、（Ａ）平面図、（Ｂ）右側面図、（Ｃ）正面図である。
【図４】同上、ストッパ部を示す側面図である。
【図５】同上、支持材を示す図であり、（Ａ）平面図、（Ｂ）正面図、（Ｃ）右側面図である。
【図６】同上、ロック機構を示す図であり、（Ａ）断面図、（Ｂ）平面図である。
【図７】同上、電気系統のブロックである。
【図８】同上、ストッパ部の作用を示す図であり、（Ａ）第１工程の側面図、（Ｂ）第２工程の側面図、（Ｃ）第３工程の側面図である。
【符号の説明】
【００３１】
５    通気孔
７    フード
7A    通風路
16    排気孔
21    ダンパ
22    ワイヤ（開閉機構）
23    巻取ドラム（開閉機構）
24    モータ（開閉機構）
25    ガススプリング（開閉機構）
33    パッキン部材（封止部材）
34    受け材
42    ロック機構
43    ストッパ受部
44    ストッパ部
60    制御手段
70    温度ヒューズ
【図１】
2007003040.tif 000003
【図２】
2007003040.tif 000004
【図３】
2007003040.tif 000005
【図４】
2007003040.tif 000006
【図５】
2007003040.tif 000007
【図６】
2007003040.tif 000008
【図７】
2007003040.tif 000009
【図８】
2007003040.tif 000010